(57)【要約】【課題】浴室テレビではテレビ受像装置を設置する時点では視聴者となる所有者が決まっていない場合が多く、テレビ受像装置を設置する時点で３種類のデジタル放送用のＩＣカードを視聴者の手でテレビ受像装置にセットすることはできない。【解決手段】地上デジタル放送専用のＩＣカードをテレビ受像装置本体に予めセットした状態で視聴者の手の届かない場所に設置しておき、３種類のデジタル放送用のＩＣカードを挿入するためのカードスロットを手の届く場所に設置し、この３種類のデジタル放送用のＩＣカードが挿入されると、切り替え回路１３によって自動的にチューナ回路１２とカードスロット３１とを接続するようにした。【選択図】  図２
2011087022.tif 000002
【特許請求の範囲】
【請求項１】
地上デジタル放送とＢＳデジタル放送と東経１１０度ＣＳデジタル放送とを受信し再生表示可能なデジタル放送用テレビ受像装置であって、地上デジタル放送のみを再生表示させるためのＩＣカードを挿入し得る第１のカードスロットを備えたものにおいて、上記３種類のデジタル放送を再生可能なＩＣカードを挿入し得る第２のカードスロットを上記第１のカードスロットとは別個に設け、第１のカードスロットにＩＣカードが挿入されている状態では、第１のカードスロットに挿入されているＩＣカードとの間で通信を行い、第２のカードスロットにＩＣカードが挿入されると、第１のカードスロットに挿入されているＩＣカードとの通信を停止し、第２のカードスロットに挿入されているＩＣカードと通信を行うカードスロット切り替え手段を設けたことを特徴とするデジタル放送用テレビ受像装置。
【請求項２】
上記第２のカードスロットはテレビ受像装置本体に対して取り付け取り外しが自在であることを特徴とする請求項１に記載のデジタル放送用テレビ受像装置。
【請求項３】
テレビ画像が表示されるモニターとテレビ受像装置本体とが別個に設置され、テレビ受像装置本体には第１のカードスロットが内蔵され、上記地上デジタル放送専用のＩＣカードが挿入された状態で、視聴者の手の届かない箇所に設置されるとともに、第２のカードスロットはテレビ受像装置本体とは別体として、視聴者がＩＣカードを挿入し得る箇所に設置されていることを特徴とする請求項１または請求項２に記載のデジタル放送用テレビ受像装置。
【発明の詳細な説明】
【技術分野】
【０００１】
本発明は、３種類のデジタル放送を受信して再生表示することのできるデジタル放送用テレビ受像装置に関する。
【背景技術】
【０００２】
デジタル放送されるコンテンツは、デジタル信号のまま保存されると、何回コピーしても画質や音質が劣化しない。そのため、コピーをある程度制限しなければ著作権が損なわれる場合が生じる。また、有料コンテンツを受信し再生表示する場合には、確実に課金しなければ視聴者間に不公平が生じるおそれがある。
【０００３】
そのため、Ｂ−ＣＡＳカードと呼ばれるＩＣカードをテレビ受像装置本体に挿入しなければ、デジタル放送を受信しても再生表示されないように構成されている（例えば、特許文献１参照）。
【０００４】
このＩＣカードはテレビ受像装置に設けられたカードスロットに挿入され、テレビ受像装置側との間で通信を行い、著作権保護機能として、デジタル放送信号に施されたスクランブルを解除するように機能する。また、課金機能として、有料コンテンツの視聴契約をしたテレビ受像装置であることを確認するためのＩＤとしての機能を有している。
【０００５】
ただし、３種類のデジタル放送のうち、地上デジタル放送については課金しないように法定されているので、地上デジタル放送に関しては著作権保護機能のみがあればよい。そのため、地上デジタル放送のみを視聴するためのＩＣカードと３種類のデジタル放送すべてを視聴するためのＩＣカードとの２種類のＩＣカードが用意されている。
【０００６】
地上デジタル放送以外のデジタル放送を再生表示できるようにするためには、３種類のデジタル放送すべてを視聴するためのＩＣカードをテレビ受像器にセットして使用することを視聴者自身が承諾し、かつ承諾したことの意思表示が必要である。そのため、ＩＣカードをテレビ受像装置とは別に封止しておき、ＩＣカードの使用契約の約款を承諾する場合に開封して、視聴者自らの手でＩＣカードをテレビ受像装置にセットする方式が採用されている。
【先行技術文献】
【特許文献】
【０００７】
【特許文献１】特開２００６−１４８４８１号公報（段落０００２）
【発明の概要】
【発明が解決しようとする課題】
【０００８】
テレビ受像装置が居間などに設置される場合には、視聴者がＩＣカードをテレビ受像装置にセットすることができる。ところが、浴室テレビのように、モニターとテレビ受像装置本体とが別個に形成され、テレビ受像装置本体は視聴者の手の届かない場所、例えば浴室テレビであれば浴室の天井裏等に設置される場合には、視聴者自身の手でＩＣカードをテレビ受像装置本体にセットすることができない。
【０００９】
一方、視聴者の中には有料コンテンツの視聴を希望せず、無料の地上デジタル放送のみの視聴でよいとする場合がある。そのため、テレビ受像装置にカードスロットを設け、そのカードスロットに、地上デジタル放送専用のＩＣカードを、テレビ受像装置の製造業者や設置業者が挿入することが許諾されている。
【００１０】
ただし、浴室テレビではテレビ受像装置を設置する時点では視聴者となる所有者が決まっていない場合が多く、テレビ受像装置を設置する時点で３種類のデジタル放送用のＩＣカードをテレビ受像装置にセットすることはできない。
【００１１】
そこで本発明は、上記の問題点に鑑み、テレビ受像装置を設置した後に、有料コンテンツを視聴することが容易にできるデジタル放送用テレビ受像装置を提供することを課題とする。
【課題を解決するための手段】
【００１２】
上記課題を解決するために本発明によるデジタル放送用テレビ受像装置は、地上デジタル放送とＢＳデジタル放送と東経１１０度ＣＳデジタル放送とを受信し再生表示可能なデジタル放送用テレビ受像装置であって、地上デジタル放送のみを再生表示させるためのＩＣカードを挿入し得る第１のカードスロットを備えたものにおいて、上記３種類のデジタル放送を再生可能なＩＣカードを挿入し得る第２のカードスロットを上記第１のカードスロットとは別個に設け、第１のカードスロットにＩＣカードが挿入されている状態では、第１のカードスロットに挿入されているＩＣカードとの間で通信を行い、第２のカードスロットにＩＣカードが挿入されると、第１のカードスロットに挿入されているＩＣカードとの通信を停止し、第２のカードスロットに挿入されているＩＣカードと通信を行うカードスロット切り替え手段を設けたことを特徴とする。
【００１３】
無料で視聴することのできる地上デジタル放送専用のＩＣカードが挿入される第１のカードスロットと、有料コンテンツが含まれるデジタル放送を視聴するためのＩＣカード用の第２のカードスロットとを別個に設けたので、テレビ受像装置の所有者が決まる前であってもテレビ受像装置の製造業者や設置業者が第１のカードスロットに地上デジタル放送専用のＩＣカードを挿入し、地上デジタル放送のみが視聴できる状態にすることができる。そして、有料コンテンツを含む他のデジタル放送の視聴を希望する場合には、テレビ受像装置の所有者である視聴者の手で第２のカードスロットに３種類のデジタル放送用のＩＣカードを挿入することにより、カードスロット切り替え手段が第２のカードスロットに挿入されたＩＣカードと通信を行うように自動的に切り替える。
【００１４】
視聴者によっては無料の地上デジタル放送の視聴のみを希望する場合がある。そのような場合には第２のカードスロットは使用されることがない。そこで、第２のカードスロットはテレビ受像装置本体に対して取り付け取り外しが自在に構成しておき、有料コンテンツを含むデジタル放送の視聴を希望する場合に第２のカードスロットをテレビ受像装置に取り付けるようにすることが望ましい。
【００１５】
また、浴室テレビのように、テレビ画像が表示されるモニターとテレビ受像装置本体とが別個に設置され、テレビ受像装置本体には第１のカードスロットが内蔵され、上記地上デジタル放送専用のＩＣカードが挿入された状態で、視聴者の手の届かない箇所に設置されるとともに、第２のカードスロットはテレビ受像装置本体とは別体として、視聴者がＩＣカードを挿入し得る箇所に設置されている場合には、視聴者の手で第２のカードスロットにＩＣカードを容易に挿入することができる。
【発明の効果】
【００１６】
以上の説明から明らかなように、本発明は、第１のカードスロットと第２のカードスロットとを別途に設けたので、地上デジタル放送専用のＩＣカードを、テレビ受像装置の製造業者や設置業者が予め第１のカードスロットに挿入しておくことができる。そして、他のデジタル放送の視聴を希望する場合には、視聴者の手で３種類のデジタル放送用のＩＣカードを開封し、第２のカードスロットに挿入することができるようにした。
【図面の簡単な説明】
【００１７】
【図１】本発明によるテレビ受像装置を浴室周りに設置した場合の構成を示す図
【図２】テレビ受像装置の構成を示すブロック図
【発明を実施するための形態】
【００１８】
図１を参照して、本発明によるテレビ受像装置は浴室Ｂに設置することができる。この場合には、チューナ部１は浴室Ｂの天井裏に設置されている。モニター部２は浴室内に設置されており、スロットユニット３は脱衣室の壁面に取り付けられている。
【００１９】
チューナ部１のカードスロット１１には、チューナ部１の工場出荷時点で予め地上デジタル放送専用のＩＣカード（Ｂ−ＣＡＳカード）が挿入される。そして、そのチューナ部１は地上デジタル放送専用のＩＣカード（Ｂ−ＣＡＳカード）が挿入されたままの状態で施工業者によって浴室の天井裏に設置される。なお、脱衣室に設置されたスロットユニット３のカードスロット３１には、視聴者の手で後から容易にＩＣカードを挿入することができる。なお、このカードスロット３１は、例えば台所に設けたリモコン（図示せず）等に内蔵させてもよい。
【００２０】
さらに図２を参照して説明すると、チューナ部１に設けられたカードスロット１１には、予め地上デジタル放送専用のＩＣカード（Ｂ−ＣＡＳカード）ＣＤ１が挿入されている。そして、このカードスロット１１は、カードスロット切り替え手段である切り替え回路３を介してチューナ回路１２に接続されている。この切り替え回路３は、初期状態ではチューナ回路１２とカードスロット１１を接続するように設定されている。地上デジタル放送の電波を受信すると、チューナ回路１２はＩＣカードＣＤ１との間で通信を行って、受信した電波のスクランブルを解除してモニター部２に地上デジタル放送のテレビ画像を表示させる。
【００２１】
使用者が地上デジタル放送のみの視聴を希望する場合にはこのままの構成でよいが、有料コンテンツを含む他のデジタル放送の視聴を希望する場合には、チューナ部１にオプションとしてスロットユニット３を接続して、脱衣場にスロットユニット３を設置する。そして、視聴者の手で３種類のデジタル放送用のＩＣカード（Ｂ−ＣＡＳカード）ＣＤ２をカードスロット３１に挿入する。
【００２２】
切り替え回路１３はカードスロット３１にＩＣカードＣＤ２が挿入されたことを検知すると、自動的にチューナ回路１２とカードスロット１１との接続を遮断するとともに、チューナ回路１２とカードスロット３１とを接続する。これにより、３種類のデジタル放送のすべてをモニター部２に再生表示させることができるようになる。
【００２３】
なお、本発明は上記した形態に限定されるものではなく、本発明の要旨を逸脱しない範囲内において種々の変更を加えてもかまわない。
【符号の説明】
【００２４】
１  チューナ部
２  モニター部
３  スロットユニット
１１  第１のカードスロット
３１  第２のカードスロット
【図１】
2011087022.tif 000003
【図２】
2011087022.tif 000004